(57)【要約】【課題】山域における気象情報のみならず各種情報配信サービスに利用可能なＡＳＰと利用者（登山者）の双方向通信を可能にする山岳情報配信システムを提供する。【解決手段】山小屋にインターネット端末１、ＡＳＰに山小屋からの情報を蓄積するサーバ３および端末４を設置する。登山者等の利用者は、携帯端末５を所持する。山小屋の端末１から、その山小屋付近の天候、温湿度、風向、風速、その他の情報をＡＳＰのサーバ３へ発信し、ＡＳＰはそれらの情報を登山者向けに編集する。登山期間中は、登山者の携帯端末５へＡＳＰの端末４から電子メールで定期的に天候情報等を配信するので、能動的にＷｅｂに接続する必要はなく、受け取った電子メールを見ることにより必要な情報を取得できる。【選択図】　　　図１
2004013478.tif 000002
【特許請求の範囲】
【請求項１】
登山者等の利用者に対して指定された特定の山域の情報等を収集して提供する山岳情報配信システムにおいて、
山小屋に設置されインターネット対応の山小屋の端末と、該山小屋の端末からの情報を受信し編集するＡＳＰ（Ａｐｐｌｉｃａｔｉｏｎ　Ｓｅｒｖｉｃｅ　Ｐｒｏｖｉｄｅｒ）に設置されたＡＳＰのサーバと、前記利用者に必要な情報を提供するＡＳＰの端末とを備え、前記利用者は、インターネット対応の携帯端末により前記ＡＳＰの端末から前記情報を受けることを特徴とする山岳情報配信システム。
【請求項２】
前記山小屋の端末は、山小屋付近の天候、温湿度、風速、風向き等の気象情報を、定期的に前記ＡＳＰのサーバに対してアップロードすることを特徴とする請求項１に記載の山岳情報配信システム。
【請求項３】
前記山小屋の端末は、山小屋付近の画像情報を、前記ＡＳＰのサーバに対して送信することを特徴とする請求項１又は２に記載の山岳情報配信システム。
【請求項４】
前記ＡＳＰのサーバは、前記山小屋から受信した情報および気象台等からの情報に基づき専用プログラムにより経時的に情報を編集することを特徴とする請求項１、２又は３に記載の山岳情報配信システム。
【請求項５】
前記利用者は、登山日時、登山ルート、情報サービス受信日時等の情報を前記ＡＳＰに予め登録し、前記利用者の携帯端末に対して前記ＡＳＰの端末から電子メールで必要な情報の配信を受けることを特徴とする請求項１乃至４の何れかに記載の山岳情報配信システム。
【請求項６】
前記ＡＳＰは、前記山小屋の端末からの気象情報および／又は画像情報に基づき雷等の危険情報を予知し、前記利用者に警報を送信することを特徴とする請求項１乃至５の何れかに記載の山岳情報配信システム。
【請求項７】
前記ＡＳＰの端末は、前記利用者に対して、宿泊および／又は休憩可能な山小屋、下山後の交通機関等の情報を配信することを特徴とする請求項１乃至６の何れかに記載の山岳情報配信システム。
【請求項８】
前記利用者は、前記利用者の端末により前記ＡＳＰに対して登山ルートや予定の変更、緊急事態等の発生等を通知し、必要な措置を可能にすることを特徴とする請求項１乃至７の何れかに記載の山岳情報配信システム。
【請求項９】
利用者に対して指定された特定の地域の情報等を収集して提供する情報配信システムにおいて、
所定地域に設置されインターネット対応の地域端末と、該地域の端末からの情報を受信し編集するＡＳＰ（Ａｐｐｌｉｃａｔｉｏｎ　Ｓｅｒｖｉｃｅ　Ｐｒｏｖｉｄｅｒ）に設置されたＡＳＰのサーバと、前記利用者に必要な情報を提供するＡＳＰの端末とを備え、前記利用者は、インターネット対応の携帯端末により前記ＡＳＰの端末から前記情報を受けることを特徴とする情報配信システム。
【発明の詳細な説明】
【０００１】
【発明の属する技術分野】
本発明は山岳情報配信システム及び情報配信システムに関し、特に登山者等に特定地域の天気情報等を配信する山岳情報配信システム及び情報配信システムに関する。
【０００２】
【従来の技術】
山又は山域の天気は、風向き、気温、湿度等により大変変わりやすく、例え麓の正確な天気予報が入手できても、山域で局地的に発生する雷、集中豪雨、吹雪、雪崩等の局地気象を正確に予報することは大変困難である。しかし、登山者等にとって気象条件は、場合により生命の危険を伴うので、正確な気象情報を得ることが必須である。特に、山域で数日間等の如く比較的長い期間過ごす場合には、斯かる長い期間の気象情報を事前に正確に予報することは不可能であるので、常に最新の気象情報を入手するのが好ましい。
【０００３】
気象観測又は天気予報に関する従来技術は、例えば特開２０００−１３８９７８号公報の「気象観測ネットワークシステム」、特開２００１−１６０１９３号公報の「情報通知システムおよび情報通知方法」、特開２００２−９９５７６号公報の「天気情報提供システムおよび天気情報提供方法」および特開平５−１９１３２２号公報の「山小屋ネットワークシステム」等に開示されている。最後の公報には、山域管理端末および山小屋端末間を、ミリ波パーソナル衛星通信アンテナを搭載した静止プラットホームを介して無線により接続して、山域内に孤立して存在する山小屋間において情報交換することにより、登山者の安全と山小屋の運営の向上を図る通信システムを開示している。
【０００４】
また、気象情報を入手する従来の一般的な手段は、ＮＴＴ（株）が提供しているｉモードの如き（インターネットアクセス機能を有する）携帯電話からサービスメニューを選択して指定した地域の天気予報を見ることである。また、携帯端末でインターネットに接続し、登山を計画している山又はその山の近くにある山小屋のホームページを見ることにより、インターネットを利用して必要な情報を得ていた。
【０００５】
【発明が解決しようとする課題】
上述の如き従来技術には幾つかの課題を有する。先ず、静止プラットフォームを利用する従来技術は、高価な設備を必要とし且つ山小屋の滞在者又は宿泊者には情報提供できても、登山中の登山者に情報提供することができない。また、インターネットを利用する一般的な技術によると、インターネットからの情報は、通常ｐｕｌｌ型の情報配信であるため、利用者は能動的に特定のＷｅｂサイトに接続し、そこから必要としている情報を得るには、画面に表示された手順に従って何度かの端末操作が必要であるので操作性に欠ける。
【０００６】
更に、Ｗｅｂに接続するのに時間がかかり、うまく接続できずやり直しする等余計な手間や時間がかかる場合が多い。一方、一般的に登山が可能な時間帯は早朝から昼過ぎ頃であり、移動時間中に度々端末操作を行うのは、登山行程に影響を及ぼす可能性がある。
上述は登山に限らず同様な他のシステムについても言えることである。
【０００７】
【発明の目的】
本発明は、従来技術の上述した課題に鑑みなされたものであり、簡単な設備および簡単な操作により登山者に時々刻々と変化する気象情報等をタイムリーに入手可能な山岳情報配信システム及び情報配信システムを提供することを目的とする。
【０００８】
【課題を解決するための手段】
前述の課題を解決するため、本発明による山岳情報配信システム及び情報配信システムは、次のような特徴的な構成を採用している。
【０００９】
（１）登山者等の利用者に対して指定された特定の山域の情報等を収集して提供する山岳情報配信システムにおいて、
山小屋に設置されインターネット対応の山小屋の端末と、該山小屋の端末からの情報を受信し編集するＡＳＰ（Ａｐｐｌｉｃａｔｉｏｎ　Ｓｅｒｖｉｃｅ　Ｐｒｏｖｉｄｅｒ）に設置されたＡＳＰのサーバと、前記利用者に必要な情報を提供するＡＳＰの端末とを備え、前記利用者は、インターネット対応の携帯端末により前記ＡＳＰの端末から前記情報を受ける山岳情報配信システム。
【００１０】
（２）前記山小屋の端末は、山小屋付近の天候、温湿度、風速、風向き等の気象情報を、定期的に前記ＡＳＰのサーバに対してアップロードする上記（１）の山岳情報配信システム。
【００１１】
（３）前記山小屋の端末は、山小屋付近の画像情報を、前記ＡＳＰのサーバに対して送信する上記（１）又は（２）の山岳情報配信システム。
【００１２】
（４）前記ＡＳＰのサーバは、前記山小屋から受信した情報および気象台等からの情報に基づき専用プログラムにより経時的に情報を編集する上記（１）、（２）又は（３）の山岳情報配信システム。
【００１３】
（５）前記利用者は、登山日時、登山ルート、情報サービス受信日時等の情報を前記ＡＳＰに予め登録し、前記利用者の携帯端末に対して前記ＡＳＰの端末から電子メールで必要な情報の配信を受ける上記（１）乃至（４）の何れかの山岳情報配信システム。
【００１４】
（６）前記ＡＳＰは、前記山小屋の端末からの気象情報および／又は画像情報に基づき雷等の危険情報を予知し、前記利用者に警報を送信する上記（１）乃至（５）の何れかの山岳情報配信システム。
【００１５】
（７）前記ＡＳＰの端末は、前記利用者に対して、宿泊および／又は休憩可能な山小屋、下山後の交通機関等の情報を配信する上記（１）乃至（６）の何れかの山岳情報配信システム。
【００１６】
（８）前記利用者は、前記利用者の端末により前記ＡＳＰに対して登山ルートや予定の変更、緊急事態等の発生等を通知し、必要な措置を可能にする上記（１）乃至（７）の何れかの山岳情報配信システム。
【００１７】
（９）利用者に対して指定された特定の地域の情報等を収集して提供する情報配信システムにおいて、
所定地域に設置されインターネット対応の地域端末と、該地域の端末からの情報を受信し編集するＡＳＰ（Ａｐｐｌｉｃａｔｉｏｎ　Ｓｅｒｖｉｃｅ　Ｐｒｏｖｉｄｅｒ）に設置されたＡＳＰのサーバと、前記利用者に必要な情報を提供するＡＳＰの端末とを備え、前記利用者は、インターネット対応の携帯端末により前記ＡＳＰの端末から前記情報を受ける情報配信システム。
【００１８】
【発明の実施の形態】
次に、本発明による天気情報配信システム及び情報配信システムの好適実施形態の構成および動作を、添付図面を参照して詳細に説明する。
【００１９】
先ず、図１は、本発明による天気情報配信システムについての好適実施形態のシステム構成図である。この天気情報配信システムは、山小屋の端末（例えば、ＰＣ：パーソナルコンピュータ）１、インターネット網２、ＡＳＰ（ＡｐｐｌｉｃａｔｉｏｎＳｅｒｖｉｃｅ　Ｐｒｏｖｉｄｅｒ）のサーバ３およびＡＳＰの端末４により構成される。そして、登山者等の利用者は、必要時に利用者の端末５を使用してインターネット網２にアクセスして必要とする気象情報等を入手する。利用者の端末５は、インターネット網２へアクセス可能である限り、例えば携帯端末５Ａ、携帯電話５Ｂ又はパーソナルコンピュータ５Ｃの何れでもよい。尚、このサービスを実現するために、山小屋および登山者がＡＳＰと予め会員契約をしておくものとする。
【００２０】
山小屋では定期的（一定の時間毎）に、山小屋付近の天候、温湿度、風速／風向を測定する。また、山小屋から見える山の画像や雷の発生の有無等を、山小屋に設置された端末１から、インターネット網２を利用して、ＡＳＰが山小屋向けに開設しているインターネット上のＷｅｂページに情報を定期的にアップロードする。山小屋の端末１から発信された情報は、ＡＳＰのサーバ３に時間と共に蓄積される。尚、図１中には、１台の山小屋の端末１のみを示すが、一般には複数の山小屋が存在する。また、この天気情報配信システムは、単に１つの山又は山域のみに限定されない。典型的には、ＡＳＰは、全国又は広い地域にある多数の山の天気情報を収集して配信する天気情報配信システムとする。一方、利用者は、自己が希望する特定の山を指定して必要な気象情報等を利用する。
【００２１】
ＡＳＰでは、１つの山小屋から入手した気象情報を、サーバ３内で動作する専用プログラムにより経時的に編集され、その変動状況は自動的にまとめられる。このような情報が複数の山小屋から入手することにより、登山者が移動するルートに応じて、必要な情報を個人別に配信することが可能である。この配信は、利用者が予めＡＳＰに登録したスケジュール（日時等）に従って行われる。また、ＡＳＰでは、多くの山小屋から得られた情報をリアルタイムに入手すると共に必要に応じて気象台発表の天気予報、営林署の情報等も入手し、追加情報として登山者に配信することが可能である。
【００２２】
次に、登山者による実際の情報配信サービスの利用の具体例について説明する。図２は、登山ルートの１例を示す図である。図２に示す例において、登山者は、出発点１０から登り始め、目的地である山小屋Ａ６を目指すものとする。ある登山者は、山小屋Ｃ８→山小屋Ｂ７→山小屋Ａ６のルートで移動する。また、別の登山者は、山小屋Ｄ９→山小屋Ｂ７→山小屋Ａ６のルートで移動することが考えられる。両方とも出発点１０および目的地（山小屋Ａ）６が同じである。そのため、これら登山者は、同じ情報提供で良い場合もある。しかし、所持する端末５の画面は小さい場合が多いので、場合によっては必要な情報が最初の画面に現れないことが起こる。これを避けるため、登山者は予め、出発する地点と登る山だけでなく、その登山ルートをＡＳＰに登録しておく。これにより、ＡＳＰ側では登山者（利用者）毎に最適な気象情報等の提供が可能である。
【００２３】
登山者は、端末５を操作しなくても、ＡＳＰの端末４から利用者の携帯端末５に電子メールが送信される。そこで、利用者は、この電子メールを受信すると同時に、受信された時に端末５を見るのみで、目的地の気象状況だけでなく、移動する登山ルートの気象情報も簡単に入手可能となる。
【００２４】
ＡＳＰの端末４から送信される情報は、１つの山小屋の端末１が発信した情報の他に、複数の山小屋からの情報により、ＡＳＰが雷雲の移動方向や天気の移り変わりを経時的に把握することができる。そこで、ＡＳＰの端末４からは、これらの情報を、気象情報データベースと連携して自動的に局地的な情報を作成して提供可能である。また、ＡＳＰでは、気象予報士等の専門家の意見を入れて、気象情報配信することができるようになる。
【００２５】
この気象情報配信システムは、いわば山岳地帯に形成されたローカルネットワークである。そのため、上述したような気象関連情報の配信のみでなく、登山者自身がＡＳＰを介して、山小屋の宿泊予約をし又は登山途中に登攀ルートを変更した場合には、ルート変更の連絡、緊急事態が発生した場合にはＡＳＰを介して救援の要請等にも容易に利用が可能である。
【００２６】
一方、登山者は、この情報配信サービスを受けるために、ＡＳＰに料金を支払うこととなる。しかし、山小屋が宿泊者誘致のために、ＡＳＰを介して宣伝広告を流し、下山時には出発点での交通機関の情報や観光スポットを紹介する等の営利目的の業者と連携することにより、収入を増加させることが可能である。更に、登山者がＧＰＳ搭載の端末を所持していれば、ＡＳＰ側は登山者の移動状況を把握して山小屋への情報提供が可能で、救援が必要な場合等には速やかに現場へ直行できるという利点がある。
【００２７】
以上、本発明による山岳情報配信システム及び情報配信システムの好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００２８】
【発明の効果】
以上の説明から明らかな如く、本発明の山岳情報配信システムによると、次の如き実用上の顕著な効果が得られる。先ず、登山者は、通常の天気予報からは判断が困難な山域の変わりやすい気象情報等を現地でタイムリーに確認しながら登山を行うことができる。雷、集中豪雨等の場合によっては生命に危険を及ぼす状況に対しては、ＡＳＰが登山者に対して事前に通知（警告）して、時間調整又はルート変更等により対処することが可能である。また、本発明の山岳情報配信システムによると、単なる気象情報のみならず山岳ネットワークを利用した登山者の安全性確保や救援活動への寄与と共に宣伝広告配信により、ＡＳＰは宣伝依頼者からの収入を得ることが可能である。このような効果は、同様な情報配信システムについても得ることができることは明らかである。
【図面の簡単な説明】
【図１】本発明による山岳情報配信システムの好適実施形態のシステム構成図である。
【図２】登山者の登山ルートの具体例を示す図である。
【符号の説明】
１　　　山小屋の端末
２　　　インターネット網
３　　　ＡＳＰのサーバ
４　　　ＡＳＰの端末
５　　　利用者の端末
６〜９　山小屋
１０　　出発点
【図１】
2004013478.tif 000003
【図２】
2004013478.tif 000004